(57)【要約】【課題】  マンホール２内で管路１の内張り作業を行うに際し、内張り材３から発散するスチレンなどの悪臭の原因となる物質を除去し、マンホール内の作業環境を改善することを目的とする。【解決手段】  反応硬化性樹脂を含浸した筒状不織布よりなる内張り材３を、マンホール２間の管路１内に挿通し、当該内張り材３内に加熱流体を送入して加熱し、前記反応硬化性樹脂を硬化させて管路１を内張りする方法において、前記マンホール２内に消臭剤を噴霧しつつ作業を行う。【選択図】          図１
2006027150.tif 000002
【特許請求の範囲】
【請求項１】
反応硬化性樹脂を含浸した筒状不織布よりなる内張り材（３）を、マンホール（２）間の管路（１）内に挿通し、当該内張り材（３）内に加熱流体を送入して加熱し、前記反応硬化性樹脂を硬化させて管路（１）を内張りする方法において、前記マンホール（２）内に消臭剤を噴霧しつつ作業を行うことを特徴とする、管路の内張り方法
【請求項２】
前記反応硬化性樹脂が不飽和ポリエステル樹脂であり、前記消臭剤がスチレンに対する臭気中和剤であることを特徴とする、請求項１に記載の管路の内張り方法
【発明の詳細な説明】
【技術分野】
【０００１】
本発明は管路の内張り方法に関するものであって、特に下水道管などに対し、筒状不織布に不飽和ポリエステルなどの反応硬化性樹脂を含浸した内張り材により内張りするに際し、マンホール内に充満するスチレン臭を除去しつつ内張り作業する方法に関するものである。
【背景技術】
【０００２】
従来から、特に下水道管に対する内張りの方法として、補修又は補強の目的でその内面に筒状不織布などに不飽和ポリエステルなどの反応硬化性樹脂を含浸した内張り材を挿通し、その内張り材内に加熱流体を送入して加熱して反応硬化性樹脂を硬化させ、内張りする方法が知られている。
【０００３】
またこの内張り材として、不飽和ポリエステルなどの反応硬化性樹脂液にガラス繊維を配合し、これを所定の条件で加熱して反応硬化性樹脂液を部分的に増粘させてなる、シートモールディングコンパウンド（ＳＭＣ）を筒状に丸めたものを使用することも知られている。
【０００４】
これらの方法により下水道管に内張りを施す場合には、通常下水道管は間隔をおいてマンホールが形成されており、当該マンホール間に下水道の管路が敷設されているので、そのマンホール間の管路部分ごとに内張り作業が行われる。すなわち、内張り材の管路への挿通作業、加熱流体の送入作業、内張り材の端末の処理などの作業は、すべてマンホール内において行われる。
【０００５】
しかしながら、前述のように反応硬化性樹脂として不飽和ポリエステルを使用した場合には、未硬化の不飽和ポリエステルには多量のスチレンが含まれており、これを硬化させるために加熱すると、そのスチレンが蒸気となって発散する。
【０００６】
内張り材を管路に内張りする際には、管路の両端において内張り材の端末を処理して管路に固定する必要があり、そのために内張り材の両端は多少余裕をもって長めに設定され、管路の両端から突出した状態で加熱される。
【０００７】
そのため、管路の端末から突出した内張り材の表面から多量のスチレンが発散してマンホール内に充満することとなり、作業者がマンホール内で作業しようとすると、作業者は長時間に亙って高濃度のスチレンの蒸気に曝されることとなり、激しい悪臭を感じると共に、健康にとっても有害である。
【特許文献１】特開２００１−３０３５６号公報
【特許文献２】特開平３−２９２１２７号公報
【発明の開示】
【発明が解決しようとする課題】
【０００８】
本発明はかかる事情に鑑みなされたものであって、マンホール内で内張り作業を行うに際し、内張り材から発散するスチレンなどの悪臭の原因となる物質を除去し、マンホール内の作業環境を改善することを目的とするものである。
【課題を解決するための手段】
【０００９】
而して本発明は、反応硬化性樹脂を含浸した筒状不織布よりなる内張り材を、マンホール間の管路内に挿通し、当該内張り材内に加熱流体を送入して加熱し、前記反応硬化性樹脂を硬化させて管路を内張りする方法において、前記マンホール内に消臭剤を噴霧しつつ作業を行うことを特徴とするものである。
【００１０】
本発明を実施する場合においては、前記反応硬化性樹脂が不飽和ポリエステル樹脂である場合において、前記消臭剤としてスチレンに対する臭気中和剤を使用することが特に有効である。
【発明の効果】
【００１１】
本発明においては、マンホール内で内張り作業を行うに際し、マンホール内に消臭剤を噴霧しつつ作業を行うので、マンホール内の悪臭が除去され、マンホール内の作業環境が改善され、安全に作業を行うことができる。
【発明を実施するための最良の形態】
【００１２】
以下本発明の実施の形態を図面に従って説明する。図１は本発明を実施する状態を示すものであって、地中に埋設された管路１の端末がマンホール２の側面に開口しており、その管路１内に内張り材３が挿通されている。
【００１３】
前記内張り材３としては、筒状不織布に反応硬化性樹脂を含浸してなるものが使用される。特に本発明においては、当該内張り材３として、前記反応硬化性樹脂として不飽和ポリエステルを使用し、その不飽和ポリエステルの樹脂液にガラス繊維を配合して増粘してなる、ＳＭＣを使用するのが適当である。
【００１４】
図２は当該ＳＭＣを使用した内張り材３の一例を示すものであって、気密性のプラスチックのチューブ７の外側に、不飽和ポリエステル樹脂４にガラス繊維５を配合して増粘してなるＳＭＣ６を巻回して筒状になし、当該ＳＭＣ６の両縁をずれ可能に重ね合わせたものである。
【００１５】
この内張り材３はマンホール２間の管路１内に全長に亙って挿通され、その両端は管路１の端末からマンホール２内に突出しており、その内張り材３の端末に金具８を介してホース９が接続され、当該ホース９を介して温湯、加熱水蒸気などの加熱流体を送入するようになっている。
【００１６】
而して内張り材３内に加熱流体を送入すると、内張り材３は加熱されて不飽和ポリエステル樹脂４などの反応硬化性樹脂は硬化し、管路１内においてガラス繊維５で補強された強固なＦＲＰ管の内張りを形成する。
【００１７】
このとき内張り材３は、その端末部がマンホール２内に突出しており、その突出した内張り材３においては表面にＳＭＣ６が露出しているため、そのＳＭＣ６に含まれるスチレンなどの揮発成分が蒸気となってマンホール２内に充満し、強い臭気を発すると共に作業者の健康に対しても有害である。
【００１８】
そこで本発明に置いては、マンホール２の開口部又はマンホール２内に噴霧装置１０を置き、マンホール２内にＳＭＣ６から発する臭気を除去し得る消臭剤を噴霧しつつ、作業を行うのである。
【００１９】
前記反応硬化性樹脂が不飽和ポリエステル樹脂である場合においては、前記消臭剤としてスチレンに対する臭気中和剤を使用するのが適当である。スチレンに対する臭気中和剤としては、銅クロロフィリンナトリウム、鉄クロロフィリンナトリウムなどのクロロフィル化合物が知られている。
【００２０】
而して本発明によれば、マンホール２内に消臭剤を噴霧することにより、ＳＭＣ６から発散するスチレンなどの揮発成分を消臭剤により分解して消臭するので、マンホール２内に揮発成分が充満することがなく、作業環境が改善され、作業者は安全に作業することができる。
【図面の簡単な説明】
【００２１】
【図１】本発明を実施する状態を示す縦断面図
【図２】本発明において使用する内張り材の一例を示す横断面図
【符号の説明】
【００２２】
１  管路
２  マンホール
３  内張り材
【図１】
2006027150.tif 000003
【図２】
2006027150.tif 000004